【手続補正書】
【提出日】平成28年2月23日(2016.2.23)
【手続補正１】
【補正対象書類名】特許請求の範囲
【補正対象項目名】全文
【補正方法】変更
【補正の内容】
【特許請求の範囲】
【請求項１】
信号処理の方法であって、
方向制御可能なトランスデューサを駆動して、ビームを含む音場を生成することと、
ハンドジェスチャーの表現に応答して、コマンドを生成することと、
入力信号に空間的指向性フィルタを適用して、マルチチャネル信号を生成することであって、前記空間的指向性フィルタが前記コマンドに基づくことと
を備え、
前記ハンドジェスチャーが、前記ビームの方向および前記ビームの幅のうち少なくとも１つにおける変化を指示し、前記コマンドが、前記指示された変化を実施するためのコマンドである、信号処理の方法。
【請求項２】
フィルタ構成は、前記コマンドに応答して生成され、前記空間的指向性フィルタは、前記フィルタ構成に基づく、請求項１に記載の信号処理の方法。
【請求項３】
前記コマンドを前記生成することが、前記表現からの情報に基づいて、
前記ビームの前記幅を増大するためのコマンドと、前記ビームの前記幅を低下するためのコマンドと、および／または
前記ビームの前記方向を、前記ビームの第１のサイド上にある第１の方向に変えるためのコマンドと、前記ビームの前記方向を、前記第１のサイドとは反対側の、前記ビームの第２のサイド上にある第２の方向に変えるためのコマンドと
を含む複数のコマンドから、前記コマンドを選択することを備える、請求項１または２に記載の信号処理の方法。
【請求項４】
前記フィルタ構成を前記生成することが、前記ビームの現在の方向および前記ビームの現在の幅のうち少なくとも一方の指示に基づく、および／またはユーザの現在のロケーションの指示に基づく、請求項２に、または請求項２に従属するとき請求項３に記載の信号処理の方法。
【請求項５】
前記フィルタ構成を前記生成することが、前記コマンドに従って、複数のフィルタ構成から前記フィルタ構成を選択することを備える、請求項２に、または請求項２に従属するいずれかの請求項に記載の信号処理の方法。
【請求項６】
前記複数のフィルタ構成のうちの第１のフィルタ構成が、前記複数のフィルタ構成のうちの第２のフィルタ構成とは異なる、前記空間的指向性フィルタの複数の出力チャネルの間のフェーズ関係を記述する、請求項５に記載の信号処理の方法。
【請求項７】
前記ハンドジェスチャーの前記表現が、前記音場内で前記ハンドジェスチャーを実施するユーザの画像シーケンスに基づく、請求項１乃至６のいずれかに記載の信号処理の方法。
【請求項８】
前記画像シーケンスが、前記ユーザの片手に投射される光パターンの画像を含む、請求項７に記載の信号処理の方法。
【請求項９】
前記ハンドジェスチャーが、
ユーザの片手の横移動と、
ユーザの片手の握りモーションと、
ユーザの両方の手の、互いの方への移動と、
ユーザの両方の手の、互いから離れる移動、および／または、
ユーザの両方の手の、同じ横方向の移動
を含む、請求項１乃至８のいずれかに記載の信号処理の方法。
【請求項１０】
信号処理のための装置であって、
方向制御可能なトランスデューサを駆動して、ビームを生成するための手段と、
ハンドジェスチャーの表現に応答して、コマンドを生成するための手段と、
入力信号に対して空間的指向性フィルタリング動作を実施して、マルチチャネル信号を生成するための手段であって、前記空間的指向性フィルタリング動作が前記コマンドに基づく、手段と
を備え、
前記ハンドジェスチャーが、前記ビームの方向および前記ビームの幅のうち少なくとも１つにおける変化を指示し、前記コマンドが、前記指示された変化を実施するためのコマンドである、信号処理のための装置。
【請求項１１】
前記コマンドに応答してフィルタ構成を生成するための手段をさらに備え、前記空間的指向性フィルタリング動作は、前記フィルタ構成に基づく、請求項１０に記載の信号処理のための装置。
【請求項１２】
前記コマンドを生成するための前記手段が、前記表現からの情報に基づいて、
前記ビームの前記幅を増大するためのコマンドと、前記ビームの前記幅を低下するためのコマンドと、および／または、
前記ビームの前記方向を、前記ビームの第１のサイド上にある第１の方向に変えるためのコマンドと、前記ビームの前記方向を、前記第１のサイドとは反対側の、前記ビームの第２のサイド上にある第２の方向に変えるためのコマンドと
を含む複数のコマンドから、前記コマンドを選択するための手段を備える、請求項１０乃至１１に記載の信号処理のための装置。
【請求項１３】
前記フィルタ構成を生成するための前記手段が、前記ビームの現在の方向および前記ビームの現在の幅のうち少なくとも一方の指示に基づいて、および／またはユーザの現在のロケーションの指示に基づいて、前記フィルタ構成を生成するように構成される、請求項１１に、または請求項１１に従属するとき請求項１２に記載の信号処理のための装置。
【請求項１４】
前記ハンドジェスチャーが、
ユーザの片手の横移動と、
ユーザの片手の握りモーションと、
ユーザの両方の手の、互いの方への移動と、
ユーザの両方の手の、互いから離れる移動、および／または、
ユーザの両方の手の、同じ横方向の移動と
を含む、請求項１０乃至１３のいずれかに記載の信号処理のための装置。
【請求項１５】
具体的な特徴を有する非一時的コンピュータ可読媒体であって、前記具体的な特徴が、前記具体的な特徴を読み取る機械に、請求項１乃至９に記載の方法のうちのいずれか１つにしたがって前記方法を実施させる、非一時的コンピュータ可読媒体。
【手続補正２】
【補正対象書類名】明細書
【補正対象項目名】０１４２
【補正方法】変更
【補正の内容】
【０１４２】
[00179]本明細書で説明した装置の一実装形態の１つまたは複数の要素は、装置が組み込まれているデバイスまたはシステムの別の動作に関係するタスクなど、装置の動作に直接関係しないタスクを実施し、または装置の動作に直接関係しない命令の他のセットを実行するために使用することが可能である。また、そのような装置の実装形態の１つまたは複数の要素は、共通の構造（たとえば、異なる要素に対応するコードの部分を異なる時間に実行するために使用されるプロセッサ、異なる要素に対応するタスクを異なる時間に実施するために実行される命令のセット、または、異なる要素向けの動作を異なる時間に実施する電子デバイスおよび／もしくは光デバイスの構成）を有することが可能である。
以下に、本願出願の当初の特許請求の範囲に記載された発明を付記する。
［Ｃ１］
信号処理の方法であって、
方向制御可能なトランスデューサを駆動して、ビームを含む音場を生成することと、
ジェスチャーの表現に応答して、コマンドを生成することと、
前記コマンドに応答して、フィルタ構成を生成することと、
入力信号に空間的指向性フィルタを適用して、マルチチャネル信号を生成することであって、前記空間的指向性フィルタが前記フィルタ構成に基づくことと
を備え、
前記ジェスチャーが、前記ビームの方向および前記ビームの幅のうち少なくとも１つにおける変化を指示し、前記コマンドが、前記指示された変化を実施するためのコマンドである、方法。
［Ｃ２］
前記コマンドを前記生成することが、前記表現からの情報に基づいて、（Ａ）前記ビームの前記幅を増大するためのコマンドと、（Ｂ）前記ビームの前記幅を低下するためのコマンドとを含む複数のコマンドから、前記コマンドを選択することを備える、Ｃ１に記載の信号処理の方法。
［Ｃ３］
前記コマンドを前記生成することが、前記表現からの情報に基づいて、（Ａ）前記ビームの前記方向を、前記ビームの第１のサイド上にある第１の方向に変えるためのコマンドと、（Ｂ）前記ビームの前記方向を、前記第１のサイドとは反対側の、前記ビームの第２のサイド上にある第２の方向に変えるためのコマンドとを含む複数のコマンドから、前記コマンドを選択することを備える、Ｃ１および２のいずれかに記載の信号処理の方法。
［Ｃ４］
前記フィルタ構成を前記生成することが、前記ビームの現在の方向および前記ビームの現在の幅のうち少なくとも一方の指示に基づく、Ｃ１から３のいずれかに記載の信号処理の方法。
［Ｃ５］
前記フィルタ構成を前記生成することが、ユーザの現在のロケーションの指示に基づく、Ｃ１から４のいずれかに記載の信号処理の方法。
［Ｃ６］
前記フィルタ構成を前記生成することが、前記コマンドに従って、複数のフィルタ構成から前記フィルタ構成を選択することを備える、Ｃ１から５のいずれかに記載の信号処理の方法。
［Ｃ７］
前記複数のフィルタ構成のうちの第１のフィルタ構成が、前記複数のフィルタ構成のうちの第２のフィルタ構成とは異なる、前記空間的指向性フィルタの複数の出力チャネルの間のフェーズ関係を記述する、Ｃ６に記載の信号処理の方法。
［Ｃ８］
前記ジェスチャーの前記表現が、前記音場内で前記ジェスチャーを実施するユーザの画像シーケンスに基づく、Ｃ１から７のいずれかに記載の信号処理の方法。
［Ｃ９］
前記画像シーケンスが、前記ユーザの片手に投射される光パターンの画像を含む、Ｃ８に記載の信号処理の方法。
［Ｃ１０］
前記ジェスチャーが、ユーザの片手の横移動を含む、Ｃ１から９のいずれかに記載の信号処理の方法。
［Ｃ１１］
前記ジェスチャーが、ユーザの片手の握りモーションを含む、Ｃ１から１０のいずれかに記載の信号処理の方法。
［Ｃ１２］
前記ジェスチャーが、ユーザの両方の手の、互いの方への移動を含む、Ｃ１から１０のいずれかに記載の信号処理の方法。
［Ｃ１３］
前記ジェスチャーが、ユーザの両方の手の、互いから離れる移動を含む、Ｃ１から１０のいずれかに記載の信号処理の方法。
［Ｃ１４］
前記ジェスチャーが、ユーザの両方の手の、同じ横方向の移動を含む、Ｃ１から１０のいずれかに記載の信号処理の方法。
［Ｃ１５］
信号処理のための装置であって、
方向制御可能なトランスデューサを駆動して、ビームを生成するための手段と、
ジェスチャーの表現に応答して、コマンドを生成するための手段と、
前記コマンドに応答して、フィルタ構成を生成するための手段と、
入力信号に対して空間的指向性フィルタリング動作を実施して、マルチチャネル信号を生成するための手段であって、前記空間的指向性フィルタリング動作が前記フィルタ構成に基づく、手段と
を備え、
前記ジェスチャーが、前記ビームの方向および前記ビームの幅のうち少なくとも１つにおける変化を指示し、前記コマンドが、前記指示された変化を実施するためのコマンドである、信号処理のための装置。
［Ｃ１６］
前記コマンドを生成するための前記手段が、前記表現からの情報に基づいて、（Ａ）前記ビームの前記幅を増大するためのコマンドと、（Ｂ）前記ビームの前記幅を低下するためのコマンドとを含む複数のコマンドから、前記コマンドを選択するための手段を備える、Ｃ１５に記載の信号処理のための装置。
［Ｃ１７］
前記コマンドを生成するための前記手段が、前記表現からの情報に基づいて、（Ａ）前記ビームの前記方向を、前記ビームの第１のサイド上にある第１の方向に変えるためのコマンドと、（Ｂ）前記ビームの前記方向を、前記第１のサイドとは反対側の、前記ビームの第２のサイド上にある第２の方向に変えるためのコマンドとを含む複数のコマンドから、前記コマンドを選択するための手段を備える、Ｃ１５および１６のいずれかに記載の信号処理のための装置。
［Ｃ１８］
前記フィルタ構成を生成するための前記手段が、前記ビームの現在の方向および前記ビームの現在の幅のうち少なくとも一方の指示に基づいて、前記フィルタ構成を生成するように構成される、Ｃ１５から１７のいずれかに記載の信号処理のための装置。
［Ｃ１９］
前記フィルタ構成を生成するための前記手段が、ユーザの現在のロケーションの指示に基づいて、前記フィルタ構成を生成するように構成される、Ｃ１５から１８のいずれかに記載の信号処理のための装置。
［Ｃ２０］
前記フィルタ構成を生成するための前記手段が、前記コマンドに従って、複数のフィルタ構成から前記フィルタ構成を選択するための手段を備える、Ｃ１５から１９のいずれかに記載の信号処理のための装置。
［Ｃ２１］
前記複数のフィルタ構成のうちの第１のフィルタ構成が、前記複数のフィルタ構成のうちの第２のフィルタ構成とは異なる、前記空間的指向性フィルタの複数の出力チャネルの間のフェーズ関係を記述する、Ｃ２０に記載の信号処理のための装置。
［Ｃ２２］
前記ジェスチャーの前記表現が、前記音場内で前記ジェスチャーを実施するユーザの画像シーケンスに基づく、Ｃ１５から２１のいずれかに記載の信号処理のための装置。
［Ｃ２３］
前記画像シーケンスが、前記ユーザの片手に投射される光パターンの画像を含む、Ｃ２２に記載の信号処理のための装置。
［Ｃ２４］
前記ジェスチャーが、ユーザの片手の横移動を含む、Ｃ１５から２３のいずれかに記載の信号処理のための装置。
［Ｃ２５］
前記ジェスチャーが、ユーザの片手の握りモーションを含む、Ｃ１５から２４のいずれかに記載の信号処理のための装置。
［Ｃ２６］
前記ジェスチャーが、ユーザの両方の手の、互いの方への移動を含む、Ｃ１５から２４のいずれかに記載の信号処理のための装置。
［Ｃ２７］
前記ジェスチャーが、ユーザの両方の手の、互いから離れる移動を含む、Ｃ１５から２４のいずれかに記載の信号処理のための装置。
［Ｃ２８］
前記ジェスチャーが、ユーザの両方の手の、同じ横方向の移動を含む、Ｃ１５から２４のいずれかに記載の信号処理のための装置。
［Ｃ２９］
信号処理のための装置であって、
方向制御可能なトランスデューサを駆動して、ビームを生成するように構成されたオーディオ出力段と、
ジェスチャーの表現に応答して、コマンドを生成するように構成されたジェスチャーインタープリタと、
前記コマンドに応答して、フィルタ構成を生成するように構成されたコマンドインタープリタと、
入力信号に空間的指向性フィルタを適用して、マルチチャネル信号を生成するように構成されたシンセサイザであって、前記空間的指向性フィルタが前記フィルタ構成に基づく、シンセサイザと
を備え、
前記ジェスチャーが、前記ビームの方向および前記ビームの幅のうち少なくとも１つにおける変化を指示し、前記コマンドが、前記指示された変化を実施するためのコマンドである、装置。
［Ｃ３０］
前記ジェスチャーインタープリタが、前記表現からの情報に基づいて、前記ビームの前記幅を増大するためのコマンドと、前記ビームの前記幅を低下するためのコマンドとを含む複数のコマンドから、前記コマンドを選択することによって、前記コマンドを生成するように構成される、Ｃ２９に記載の装置。
［Ｃ３１］
前記ジェスチャーインタープリタが、前記表現からの情報に基づいて、（Ａ）前記ビームの前記方向を、前記ビームの第１のサイド上にある第１の方向に変えるためのコマンドと、（Ｂ）前記ビームの前記方向を、前記第１のサイドとは反対側の、前記ビームの第２のサイド上にある第２の方向に変えるためのコマンドとを含む複数のコマンドから、前記コマンドを選択することによって、前記コマンドを生成するように構成される、Ｃ２９および３０のいずれかに記載の装置。
［Ｃ３２］
前記コマンドインタープリタが、前記ビームの現在の方向および前記ビームの現在の幅のうち少なくとも一方の指示に基づいて、前記フィルタ構成を生成するように構成される、Ｃ２９から３１のいずれかに記載の装置。
［Ｃ３３］
前記コマンドインタープリタが、ユーザの現在のロケーションの指示に基づいて、前記フィルタ構成を生成するように構成される、Ｃ２９から３２のいずれかに記載の装置。
［Ｃ３４］
前記コマンドインタープリタが、前記コマンドに従って、複数のフィルタ構成から前記フィルタ構成を選択することによって、前記フィルタ構成を生成するように構成される、Ｃ２９から３３のいずれかに記載の装置。
［Ｃ３５］
前記複数のフィルタ構成のうちの第１のフィルタ構成が、前記複数のフィルタ構成のうちの第２のフィルタ構成とは異なる、前記シンセサイザの複数の出力チャネルの間のフェーズ関係を記述する、Ｃ３４に記載の装置。
［Ｃ３６］
前記オーディオ出力段が、前記方向制御可能なトランスデューサを駆動して、前記ビームを含む音場を生成するように構成され、
前記ジェスチャーの前記表現が、前記音場内で前記ジェスチャーを実施するユーザの画像シーケンスに基づく、Ｃ２９から３５のいずれかに記載の装置。
［Ｃ３７］
前記画像シーケンスが、前記ユーザの片手に投射される光パターンの画像を含む、Ｃ３６に記載の装置。
［Ｃ３８］
前記ジェスチャーが、ユーザの片手の横移動を含む、Ｃ２９から３７のいずれかに記載の装置。
［Ｃ３９］
前記ジェスチャーが、ユーザの片手の握りモーションを含む、Ｃ２９から３８のいずれかに記載の装置。
［Ｃ４０］
前記ジェスチャーが、ユーザの両方の手の、互いの方への移動を含む、Ｃ２９から３８のいずれかに記載の装置。
［Ｃ４１］
前記ジェスチャーが、ユーザの両方の手の、互いから離れる移動を含む、Ｃ２９から３８のいずれかに記載の装置。
［Ｃ４２］
前記ジェスチャーが、ユーザの両方の手の、同じ横方向の移動を含む、Ｃ２９から３８のいずれかに記載の装置。
［Ｃ４３］
具体的な特徴を有する非一時的コンピュータ可読媒体であって、前記具体的な特徴が、前記具体的な特徴を読み取る機械に、
方向制御可能なトランスデューサを駆動して、ビームを含む音場を生成させ、
ジェスチャーの表現に応答して、コマンドを生成させ、
前記コマンドに応答して、フィルタ構成を生成させ、
入力信号に空間的指向性フィルタを適用して、マルチチャネル信号を生成させ、前記空間的指向性フィルタが前記フィルタ構成に基づき、
前記ジェスチャーが、前記ビームの方向および前記ビームの幅のうち少なくとも１つにおける変化を指示し、前記コマンドが、前記指示された変化を実施するためのコマンドである、非一時的コンピュータ可読媒体。
［Ｃ４４］
具体的な特徴を有し、前記具体的な特徴が、前記具体的な特徴を読み取る機械に、Ｃ１から１４のいずれか一項に記載の信号処理の方法を実施させる、コンピュータ可読媒体。